(57)【特許請求の範囲】
【請求項１】
操作部と、
現在時刻の計時を行う第１の時刻計時部と、
外部装置との間で通信を行う通信部と、
制御部とを備えると共に、
上記制御部は、
第２の時刻計時部を備える外部装置との間で計時時刻の同期を行う時刻同期処理と、
上記操作部に対する操作が行われたタイミングにおける上記第１の時刻計時部による計時時刻情報を取得する時刻情報取得処理と、
上記時刻情報取得処理により取得した時刻情報が上記通信部により外部装置に送信されるように制御する送信制御処理とを実行する
端末装置。
【請求項２】
請求項１に記載の端末装置において、
上記端末装置を識別するための端末識別情報が記憶された記憶部をさらに備え、
上記制御部は、
上記通信部により上記端末識別情報を外部装置に対して送信させることで、上記外部装置に上記端末識別情報を登録させる識別情報登録処理をさらに実行すると共に、
上記送信制御処理では、
上記時刻情報と共に上記端末識別情報が送信されるように制御を行う。
【請求項３】
請求項２に記載の端末装置において、
上記制御部は、
上記時刻情報取得処理により取得した時刻情報を、過去に上記時刻情報取得処理により取得した時刻情報も含めてリスト化し、上記端末識別情報を該リストに対して付した情報を時刻リスト情報として生成する時刻リスト情報生成処理をさらに実行すると共に、
上記送信制御処理では、
上記時刻リスト情報生成処理により生成した時刻リスト情報が外部装置に送信されるように制御する。
【請求項４】
請求項３に記載の端末装置において、
上記通信部は外部装置との間で無線による通信を行う。
【請求項５】
請求項４に記載の端末装置において、
上記送信制御処理では、
所定時間おきに上記時刻リスト情報が外部装置に対して送信されるように制御する。
【請求項６】
請求項３に記載の端末装置において、
上記送信制御処理では、
外部装置からの送信要求に応じて上記時刻リスト情報が上記外部装置に対して送信されるように制御する。
【請求項７】
請求項６に記載の端末装置において、
上記通信部は外部装置との間で無線による通信を行う。
【請求項８】
請求項６に記載の端末装置において、
上記通信部は外部装置との間で有線による通信を行う。
【請求項９】
現在時刻の計時を行う第１の時刻計時部を備えた端末装置における情報送信方法であって、
第２の時刻計時部を備える外部装置との間で計時時刻の同期を行う時刻同期ステップと、
操作が行われたタイミングにおける上記第１の時刻計時部による計時時刻情報を取得する時刻情報取得ステップと、
上記時刻情報取得ステップにより取得した時刻情報を外部装置に送信する送信ステップと
を備える情報送信方法。
【発明の詳細な説明】
【技術分野】
【０００１】
本発明は、例えば動画データや音声データなどの時系列データの所要位置に対してマークを付すための技術に関するものであり、特に、上記マークの挿入位置を指示入力するための入力装置として機能する端末装置とその情報送信方法とに関する。
【背景技術】
【０００２】
動画記録を行うビデオカメラ装置が広く普及している。ビデオカメラ装置として、例えば放送業者等が使用するいわゆる業務用のビデオカメラ装置では、撮影後の編集が容易となるように、様々な機能が与えられている。
一例として、録画中にカメラ本体に設けられた所定のボタンを操作することで、録画データにマークを付すという機能が与えられたものがある。例えばこのマークにより、取材時において対象事象の注目ポイント（例えば野球の取材であればホームランのシーンなど）を記しておくことができ、後の編集時には該マークにより注目ポイントの頭出しをスムーズに行うことができるなど、編集作業の円滑化を図ることができる。
【０００３】
なお、関連する従来技術については下記特許文献を挙げることができる。
【特許文献１】特開２００４−７２１３２号公報
【特許文献２】特開２００７−８２０８８号公報
【特許文献３】特開２００７−３０５２１３号公報
【発明の開示】
【発明が解決しようとする課題】
【０００４】
ここで、現状において、上記マークの付与は、上述のようにカメラ本体に対して設けられたボタンの操作により行う。つまり、従来において上記マークの付与は、カメラマン本人によって行うことが想定されている。
【０００５】
しかしながら、取材中においてカメラマンは撮影に集中しているため、適切なタイミングでマークボタン操作を行うことが非常に困難となる。或いは、状況によってはマークボタン操作を行うことができない場合もある。
この点から従来の取材システムでは、マーク付与機能が有効に利用されてこなかったという問題がある。
【課題を解決するための手段】
【０００６】
上記による問題点に鑑み、本発明では、端末装置として以下のように構成することとした。
つまり、本発明の端末装置は、操作部と、現在時刻の計時を行う第１の時刻計時部と、外部装置との間で通信を行う通信部と、制御部とを備える。
そして、上記制御部が、第２の時刻計時部を備える外部装置との間で計時時刻の同期を行う時刻同期処理を実行する。
さらに、上記操作部に対する操作が行われたタイミングにおける上記第１の時刻計時部による計時時刻情報を取得する時刻情報取得処理と、上記時刻情報取得処理により取得した時刻情報が上記通信部により外部装置に送信されるように制御する送信制御処理とを実行するものである。
【０００７】
上記構成によれば、操作により指示されたマーク付与のタイミングの情報を外部装置に送信する端末装置を実現することができる。これによれば、例えばビデオカメラ装置などの上記マーク付与のタイミング情報を受信した外部装置においては、動画データなどの時系列データにおける、上記受信したマーク付与のタイミング情報により示される位置に対しマークを付すことができる。
このような本発明の端末装置を含むシステムが実現されることで、マーク付与は、例えばビデオカメラ装置などの実際に時系列データの記録を行う装置への操作入力ではなく、上記端末装置への操作入力により行うことができる。つまりこれにより、この場合のマークの付与は、例えばカメラマンなどの時系列データの記録者ではなく、端末装置を手にした第三者の指示によって行われるようにすることができる。
【発明の効果】
【０００８】
上記のようにして本発明によれば、時系列データの記録者とは別の第三者によりマーク付与タイミングの指示を行わせることができる。この結果、従来の取材システムのように、記録者本人がマーク付与操作を行わなければならなかった場合と比較して、より確実に、且つ適切なタイミングでマーク付与タイミングの指示が行われるようにすることができる。
【発明を実施するための最良の形態】
【０００９】
以下、発明を実施するための最良の形態（以下実施の形態とする）について説明していく。
＜第１の実施の形態＞
[マーク付与システムの概要]
図１は、本発明に基づき構成することのできる、第１の実施の形態としてのマーク付与システム１の概要を示した図である。
この図１に示されるようにして、本実施の形態のマーク付与システム１としては、マーカー装置２とビデオカメラ装置３とを備えて構成されたものとなる。
先ず、ビデオカメラ装置３は、装填された光ディスクＤに対して撮像画像（動画像）データの記録を行うことが可能とされる。また、光ディスクＤに記録されたデータの再生も可能とされている。
【００１０】
マーカー装置２は、後の説明からも理解されるように、上記ビデオカメラ装置３にて撮影・記録される動画データに対するマーク付与のタイミングを指示するための装置として機能することになる。
【００１１】
第１の実施の形態の場合、マーカー装置２とビデオカメラ装置３とは、例えば無線ＬＡＮ（Local Area Network）などの無線通信によるデータ通信が可能に構成されている。
また、マーカー装置２とビデオカメラ装置３との間では、有線によるデータ通信も可能とされている。この場合、マーカー装置２にはＵＳＢ（Universal Serial Bus）接続端子２Ａが備えられ、該ＵＳＢ接続端子２Ａとビデオカメラ装置３側に設けられたＵＳＢ接続端子（後に説明するＵＳＢ接続端子３Ａ）とが接続されることで、マーカー装置２とビデオカメラ装置３との間でデータ通信が可能となる。
【００１２】
[クリップ及びマークについて]
ここで、本実施の形態の場合、ビデオカメラ装置３では、撮像動作により得られた動画像データをクリップ（Ｃｌｉｐ）と呼ばれるファイル形式で記録する。このクリップファイルに対しては、動画データの時間軸上のマーク位置を管理するためのマークテーブルの情報をメタデータとして付すことが可能とされている。
図２は、このようなマークテーブルのデータ構造例について示した図である。
このマークテーブルの情報は、各クリップごとに付される情報となる。このためマークテーブルには、該マークテーブルがどのクリップについてのマーク位置情報を格納したものであるかを示すためのクリップＮｏ.の情報が格納される。図中では＜MarkTable targetMedia=“Clip No.1”＞がこれに該当する。
そして、マークテーブルでは、マーク位置を表す情報として、図のようなタイムコード（timecode）の情報が格納される。後述もするように、本例の場合、ビデオカメラ装置３はクリップの録画時においてそのクリップの録画開始時点からの経過時間長を表すタイムコードの情報を例えばフレーム画像単位で付す。このため、上記のようにマークテーブルにタイムコードの情報を格納しておくことで、クリップに付されたマークの位置を特定することができるものである。
【００１３】
なお、本例の場合は、仕様として、各マークにはタイトル（図中では「Mark value」）の情報も格納することが可能とされている。このタイトルの情報としては、ユーザによるタイトル入力操作が特に無い場合には、図のような「No Title」を自動格納する。
【００１４】
この図２に示すクリップテーブルの情報は、クリップファイルのメタデータとして、最終的にビデオカメラ装置３に装填された光ディスクＤに対して記録されることになる。
【００１５】
[端末装置の構成]
図３は、図１に示したマーカー装置２（第１の実施の形態としての端末装置）の内部構成を示したブロック図である。
図示するようにマーカー装置２には、ＣＰＵ（Central Processing Unit）１０、メモリ部１１、操作部１２、計時部１３、無線通信部１４、ＵＳＢインタフェース１５、及びＵＳＢ接続端子２Ａが備えられる。
【００１６】
ＣＰＵ１０は、メモリ部１１に格納されたプログラムに基づく各種の制御・演算処理を実行することで、マーカー装置２の全体制御を行う。
メモリ部１１は、ＣＰＵに接続されるＲＯＭ（Read Only Memory）、ＲＡＭ（Random Access Memory）、フラッシュメモリなどの各種メモリを包括的に示したものである。
このメモリ部１１には、後述する本実施の形態としての動作の実現にあたり実行されるべき処理をＣＰＵ１０に実行させるための制御プログラム１１ａが格納されている。
また、メモリ部１１には、後述する本実施の形態としての動作を実現する上で必要となるマーカーＩＤ１１ｂも格納される。このマーカーＩＤ１１ｂは、マーカー装置２を識別するための識別情報であり、マーカー装置２の個体ごとに異なる情報内容とされる。
【００１７】
操作部１２は、マーカー装置２の筐体外面に表出するようにして設けられた操作子を備え、操作が行われた操作子に対応する信号を操作入力信号としてＣＰＵ１０に与える。
本例の場合、この操作部１２の操作子としては、ユーザがマークを付すべきタイミングを指示するためのマークボタンが少なくとも設けられる。
【００１８】
計時部１３は時刻計時を行う。本例の場合、この計時部１３は「年：月：日：時：分：秒」による時刻を計時するものとされている。
【００１９】
無線通信部１４は、ＣＰＵ１４の制御に基づき、外部装置（特にこの場合は図１に示したビデオカメラ装置３）との間で無線によるデータ通信を行う。本例の場合、この無線通信部１４は、例えば無線ＬＡＮのアドホックモード（Ｗｉ-Ｆｉ：Wireless Fidelityのアドホックモード）により、外部装置との間で直接的に無線データ通信を行う。
【００２０】
ＵＳＢインタフェース１５は、ＣＰＵ１０の制御に基づき、ＵＳＢ接続端子２Ａを介して接続された外部装置（この場合は特にビデオカメラ装置３）との間でＵＳＢ（Universal Serial Bus）方式によるデータ通信を行う。
【００２１】
[信号処理装置の構成]
図４は、図１に示したビデオカメラ装置３（第１の実施の形態としての信号処理装置）の内部構成を示したブロック図である。
なお、この図４では説明の便宜上、音声の記録再生系の構成についての説明は省略するが、実際には、クリップファイルには音声データも含まれるものとなる。この場合、記録すべき音声信号は、図示されないマイクロフォンを介して入力されることになる。
【００２２】
先ず、このビデオカメラ装置３には、撮像画像データに基づくクリップファイルの記録を行うための構成として、カメラブロック２０、撮像信号処理部２１、エンコーダ２２、カメラ制御部２３、タイムコード発生部２４、メディアドライブ２５が設けられる。これら各部のうち、撮像信号処理部２１、エンコーダ２２、カメラ制御部２３、タイムコード発生部２４、メディアドライブ２５は、バス２６を介してＣＰＵ３０と接続されている。
【００２３】
上記カメラブロック２０には、例えばＣＣＤ（Charge Coupled Device）センサアレイやＣＭＯＳ（Complementary Metal Oxide Semiconductor）センサアレイなどによる撮像素子と、カメラレンズやフォーカス機構、ズーム機構、絞り機構などを備え被写体像を上記撮像素子に結像させるための撮像光学系とが備えられる。
【００２４】
カメラ制御部２３は、ＣＰＵ３０の指示に基づいて、上記カメラブロック２０における撮像のオン／オフ制御、フォーカスレンズの駆動制御などを行う。
【００２５】
撮像信号処理部２１は、上記カメラブロック２０における撮像素子により得られた撮像信号に対するゲイン調整や波形整形を行うサンプルホールド／ＡＧＣ(Automatic Gain Control)回路や、ビデオＡ／Ｄコンバータを備え、デジタルデータとしての撮像画像データを得る。また撮像画像データに対してホワイトバランス処理、輝度処理、色信号処理などを行う。
【００２６】
エンコーダ２２は、ＣＰＵ３０の制御に従って、撮像画像データに基づくクリップファイルの記録に必要な記録データを生成するためのエンコード処理を行う。
具体的には、上記撮像信号処理部２１から供給される撮像画像データを所定の画像圧縮方式により圧縮する画像圧縮処理、及び圧縮画像データ（ストリームデータ）を時分割多重してトランスポート（ＴＳ）パケット化するマルチプレックス処理を行う。なお確認のために述べておくと、上記マルチプレックス処理としては、実際には上述したマイクロフォンの収音信号に基づく圧縮音声データ（ストリームデータ）と上記圧縮画像ストリームデータとを時分割多重してパケット化する処理となる。
クリップの録画時には、このエンコーダ２２にて得られるＴＳパケットが順次メディアドライブ２５に供給される。
【００２７】
メディアドライブ２５は、装填された光ディスクＤに対するデータ記録、及び上記光ディスクＤに記録されるデータの再生を行う。
このメディアドライブ２５は、クリップの記録時には、上述のようにしてエンコーダ２２にて得られたＴＳパケットを光ディスクＤに順次記録する。そして、ＣＰＵ３０が録画終了に応じて行う制御に基づき、記録したＴＳパケットが１つのクリップファイルとして管理されるようにするために必要な情報を記録することで、光ディスクＤ上にクリップファイルを生成する。
【００２８】
また、クリップの録画時には、上述したタイムコードの記録も行われる。タイムコードの記録には、タイムコード発生部２４により発生されるタイムコード情報が用いられる。すなわち、このタイムコード発生部２４により得られるタイムコード（例えば時：分：秒：フレーム）の情報がメディアドライブ２５に供給され、録画クリップのフレーム単位で付されるようにして光ディスクＤに記録される。
なお、このタイムコードの記録動作は、例えばＣＰＵ３０の制御に基づき行われることになる。
【００２９】
また、光ディスクＤに記録されたクリップファイルの再生時には、ＣＰＵ３０の制御に基づきメディアドライブ２５により光ディスクＤから読み出されたＴＳパケットが、バス２６を介してデコーダ３３に供給される。
デコーダ３３は、供給されるＴＳパケットについてマルチプレックス処理を行って圧縮画像データを得ると共に、該圧縮画像データについての伸張処理を行うことでデジタル画像データを得る。
【００３０】
また、ビデオカメラ装置３においては、ユーザ（この場合はカメラマンなどの取材スタッフ）に対して表示を行う構成として、図示する表示部３２、表示制御部３１が設けられる。
上記表示部３２は液晶ディスプレイ等の表示パネル部と該表示パネル部を表示駆動する表示駆動部が設けられる。表示駆動部は、上記表示パネル部に情報表示を行わせるための画素駆動回路で構成されている。画素駆動回路は表示パネル部においてマトリクス状に配置されている各画素について、それぞれ所定の水平／垂直駆動タイミングで画像信号に基づく駆動信号を印加し、表示を実行させる。
【００３１】
表示制御部３１は、バス２６を介して接続されたＣＰＵ３０の制御に基づいて、表示部３２における画素駆動回路を駆動し所定の表示を実行させる。例えば、上述した撮像信号処理部２１で得られる撮像画像データをモニタ画像として表示させたり、或いはクリップの再生時には、上述のようにしてデコーダ３３で得られた画像データを表示させるなどといったことが行われる。
【００３２】
ＣＰＵ３０は、メモリ部２９に格納されるプログラムに基づく各種の制御・演算処理を実行することで、ビデオカメラ装置３の全体制御を行う。メモリ部２９は、ＣＰＵに接続されるＲＯＭ（Read Only Memory）、ＲＡＭ（Random Access Memory）、フラッシュメモリ等の各種メモリを包括的に示している。
このメモリ部２９には、後述する本実施の形態としての動作の実現にあたり実行されるべき処理をＣＰＵ３０に実行させるためのマーク付与プログラム２９ａが格納されている。
【００３３】
ＣＰＵ３０に対しては、操作部２７が接続されている。この操作部２７は、ビデオカメラ装置３の筐体外面に表出するようにして設けられた操作子を備え、操作が行われた操作子に対応する信号を操作入力信号としてＣＰＵ３０に与える。
上記操作部２７に設けられる操作子としては、例えばクリップの録画開始を指示するための録画開始ボタン、及びクリップの録画停止を指示するための録画停止ボタンを挙げることができる。ＣＰＵ３０は、録画開始ボタンに応じた操作入力信号が供給されたことに応じ、上述したようなエンコーダ２２によるＴＳパケットの生成動作やメディアドライブ２５によるＴＳパケットの光ディスクＤへの記録動作を実行させる。また、上記録画停止ボタンに応じた操作入力情報が供給された場合は、エンコーダ２２によるＴＳパケットの生成動作を停止させ、メディアドライブ２５により必要情報を光ディスクＤに記録させることで、クリップファイルを生成させる。
【００３４】
また、ＣＰＵ３０に対しては、計時部２８が接続されている。この計時部２８としても先の計時部１３と同様に「年：月：日：時：分：秒」による時刻を計時する。
【００３５】
また、ＣＰＵ３０に対しては、バス２６を介してそれぞれ無線通信部３４とＵＳＢインタフェース３５とが接続されている。
無線通信部３４は、ＣＰＵ３０の制御に基づき、外部装置（特にこの場合はマーカー装置２）との間で無線によるデータ通信を行う。この無線通信部３４としても、例えば無線ＬＡＮのアドホックモード（Ｗｉ-Ｆｉのアドホックモード）により外部装置との間の無線データ通信を行うように構成されている。
【００３６】
また、ＵＳＢインタフェース３５は、ＣＰＵ３０の制御に基づき、ＵＳＢ接続端子３Ａを介して接続された外部装置（この場合は特にマーカー装置２）との間でＵＳＢ方式によるデータ通信を行う。
【００３７】
[第１の実施の形態としてのマーク付与動作]
第１の実施の形態は、取材時においてマーク付与が行われるようにするものである。
ここで、確認のために述べておくと、一般的に放送コンテンツの制作は、素材となる動画像（映像）の撮影（＝取材）→撮影された素材映像の編集・加工のプロセスを経て行われるものとなる。第１の実施の形態は、このような放送コンテンツの制作プロセス中の取材時において、マーク付与が行われるようにするものである。
【００３８】
図５は、第１の実施の形態としてのマーク付与システム１にて行われる動作を模式的に示した図である。
先ず、本実施の形態としてのマーク付与動作を実現するにあたっては、図５（ａ）に示されるようにして、取材前の段階で、マーカー装置２とビデオカメラ装置３との間で事前のペアリングを行っておく必要がある。
具体的には、取材時に用いるビデオカメラ装置３に対して、マーカー装置２をＵＳＢ接続し、計時時刻の同期、及びマーカー装置２側に記憶されるマーカーＩＤ（マーカーＩＤ１１ｂ）のビデオカメラ装置３への登録を行わせるようにする。
【００３９】
本例の場合、このペアリング処理としての時刻同期及びマーカーＩＤの登録処理は、ビデオカメラ装置３側が主体となって行う。
具体的に、この場合のビデオカメラ装置３は、所定の操作入力が行われたことに応じ、ビデオカメラ装置３に実装される機能の情報を提示する機能提示画面を表示部３２上に表示する。ユーザはこの機能提示画面から「ペアリング」の機能を指定することで、ＵＳＢ接続されたマーカー装置２との間でのペアリング動作の実行を指示することができる。
【００４０】
なお、この場合の例では、図５（ａ）に示されるようにして、複数台のビデオカメラ装置３にマーカー装置２との間のペアリングを実行させたとする。
【００４１】
ここで、本実施の形態のビデオカメラ装置３では、上記のようなペアリングによりマーカーＩＤの登録を行った以降において、録画したクリップに登録したマーカーＩＤを対応づけて記録する。換言すれば、光ディスクＤに記録したクリップファイルと、ペアリングを行ったマーカー装置２とを対応づけておくものであり、これによって光ディスクＤに記録された各クリップファイルがどのマーカー装置２とのペアリング後に記録されたものであるかの識別が可能となる。
【００４２】
このようなクリップファイルとマーカーＩＤとの対応づけは、具体的には、次の図６に示されるようなクリップテーブルとしての情報を光ディスクＤに記録することで実現している。
図示するようにこのクリップテーブルには、ペアリングにより登録したマーカーＩＤの情報と、該マーカーＩＤの登録状態にて光ディスクＤに記録されたクリップファイルのクリップNo.の情報とが格納される。クリップNo.の情報は、ＣＰＵ３０が、クリップの録画が行われるごとに、その録画クリップに対して付すNo.情報となる。
上記のようなデータ構造とされることで、光ディスクＤに記録されている各クリップがどのマーカー装置２とのペアリング時に記録されたものであるかの対応関係が示される。
【００４３】
ここで、図示されているように、この場合のクリップテーブルには、各クリップファイルのクリップNo.の情報と共に、そのクリップNo.により特定されるクリップファイルの記録開始時刻の情報も併せて格納される。つまり、本例の場合、このクリップテーブルには、上記のように光ディスクＤに記録される各クリップがどのマーカー装置２とのペアリング後に記録されたものであるかの対応関係を示す機能と共に、光ディスクＤに記録される各クリップごとの記録開始時刻の情報の提示機能も担わせる。
なお、後の説明からも理解されるように、このクリップテーブルにおける各クリップごとの記録開始時刻の情報は、マーク時刻とクリップとの対応関係の特定のために用いられることになる。
【００４４】
確認のために、ビデオカメラ装置３にて行われる、上記クリップテーブルの生成・記録動作について説明しておく。
この場合のビデオカメラ装置３では、クリップの記録を開始すべき状態となったことに応じ、先ずは計時部２８により計時されている現在時刻情報を取得する。すなわち、クリップの記録開始時刻の情報を取得するものである。
その上で、装填された光ディスクＤに対してクリップが未記録であるか否かを判別する。ここで、ビデオカメラ装置３は、例えば光ディスクＤが装填されたタイミングで光ディスクＤに記録される管理情報等の読み出しを行い、ここでクリップテーブルの記録／未記録が判定されている。記録開始時において行われる上記クリップが未記録であるか否かを判別は、この判定結果の情報に基づき行うことができる。
【００４５】
上記判別の結果、光ディスクＤにクリップが未記録であれるとされた場合は、新規にクリップテーブルを生成する必要がある。従ってその場合は、ペアリングにより登録したマーカーＩＤと、新たに記録する記録クリップのNo.情報と、上記のようにして取得した記録開始時刻の情報とを格納した新規クリップテーブルを生成する。
【００４６】
一方、光ディスクＤに既にクリップが記録済みである場合は、登録したマーカーＩＤと一致するマーカーＩＤの付されたクリップテーブルが光ディスクＤに記録されている可能性がある。そこでこの場合には、光ディスクＤに記録されるクリップテーブルに登録マーカーＩＤと一致するマーカーＩＤの付されたクリップテーブルがあるか否かを判別し、マーカーＩＤの一致するクリップテーブルがある場合には、そのクリップテーブルに対して取得した現在時刻情報を追加した情報を生成する。例えば図６のクリップテーブルが光ディスクＤに記録されており且つ登録マーカーＩＤが“０００１”である状態において、新たなクリップを記録すべき状態となった場合であれば、図６に示すクリップテーブルに対してクリップNo.３の情報と、取得した記録開始時刻の情報とを追加した情報を生成するといったものである。
また、光ディスクＤに記録されるクリップテーブルに登録マーカーＩＤと一致するマーカーＩＤの付されたクリップテーブルが無い場合には、光ディスクＤにクリップが未記録であれるとされた場合と同様に、登録マーカーＩＤ、クリップNo.、記録開始時刻を格納した新規クリップテーブルを生成することになる。
【００４７】
このとき、新規生成したクリップテーブルの情報は、例えばクリップの記録動作が終了したタイミングなどの所定タイミングで光ディスクＤに記録する。
また、上記のように既に登録マーカーＩＤと一致するマーカーＩＤの付されたクリップテーブルが光ディスクＤに存在する場合には、光ディスクＤに記録される該当するクリップテーブルの情報内容を更新することになるが、この更新についても例えばクリップの記録が終了したタイミングなど所定のタイミングで行うことになる。
【００４８】
説明を図５に戻す。
図５（ｂ）は、上記により説明したような取材前の事前ペアリングを行った後に行われる、マーク付与システム１の取材時における動作を、マーカー装置２側とビデオカメラ装置３側とで分けて模式的に示している。
なお、確認のために述べておくと、取材時には、個々のカメラマンがそれぞれ光ディスクＤが装填されたビデオカメラ装置３により取材対象物を撮影（録画）する一方で、例えばディレクタなどのカメラマン以外の人物がマーカー装置２を携帯し、該マーカー装置２に対するボタン操作でマーク付与のタイミングの指示入力を行うことになる。
【００４９】
図５（ｂ）において、先ずマーカー装置２は、図中<１>と示すようにして、ボタン操作時の時刻情報をマーク時刻情報として取得する。すなわち、先に説明した操作部１２に設けられるマークボタンが操作されたことに応じて、そのタイミングにおける計時部１３の計時時刻情報をマーク時刻情報として取得するものである。
【００５０】
そして、このようにマーク時刻情報を取得すると、<２>と示すようにして、取得したマーク時刻情報をタイムリストに追加する。
ここで、この場合のマーカー装置２では、ボタン操作に応じて取得したマーク時刻情報を、次の図７に示すような構造によるタイムリストとして保持する。つまり、このタイムリストにより、取得したマーク時刻情報は過去のものも含めてリスト化されて保持されることになる。
そして、タイムリストにおいては、このようなマーク時刻情報のリストに対し、メモリ部１１内に格納されるマーカーＩＤ１１ｂの情報が付されるものとなる（図中「MarkerID=“0001”」）。このようにタイムリストにマーカーＩＤ１１ｂの情報を含ませておくことで、該タイムリストを受信した外部装置にて、タイムリストの送信元となるマーカー装置２の識別を行うことが可能となる。
【００５１】
図５（ｂ）に戻り、マーカー装置２は、上記<２>による動作を行うと共に、<３>と示すようにタイムリストの送信動作を行う。
取材時においては、ビデオカメラ装置３は対象物の撮影に用いられているため、マーカー装置２をビデオカメラ装置３にＵＳＢ接続することは困難となる。このため取材時におけるタイムリストの送信は、無線通信部１４を利用した無線通信により行う。
【００５２】
ここで、タイムリストの送信は、マークボタンが操作されることに応じて行うこともできるが、本実施の形態では、タイムリストは、マークボタン操作とは無関係に、所定時間おきに自動送信される。
ここで、取材時においては、上述のようにタイムリストの送信を無線通信により行うため、電波状況などにより、データ送信に失敗するケースが想定される。仮に、マークボタンの操作に応じてのみタイムリストを送信する場合は、その送信動作が失敗してしまった場合に、ビデオカメラ装置１３に新たなマーク時刻情報を受信させることができなくなってしまう。この点を考慮し本例では、タイムリストを所定時間おきに自動送信する。このことで、送信失敗後のデータ再送の機会が与えられ、ビデオカメラ装置３によるタイムリストの受信がより確実に行われるようにすることができる。
【００５３】
続いて、ビデオカメラ装置３側の動作について説明する。
取材時において、ビデオカメラ装置３は、図中の<４>でマーカー装置２側が送信したタイムリストを受信すると、<５>と示すように、マーカーＩＤが予め登録されたものであるかを確認する。すなわち、受信したタイムリストに付されたマーカーＩＤが、先の図５（ａ）のペアリング時に登録したマーカーＩＤと一致しているかどうかを確認するものである。
各マーカーＩＤが一致していれば、タイムリストを送信したマーカー装置２は事前登録されたものと判明する。一方、各マーカーＩＤが一致していない場合には、タイムリストを送信したマーカー装置２は事前登録されたものではないと判明する。
図示による説明は省略するが、各マーカーＩＤが一致しない場合は、意図しないマーク付与が行われてしまうことの防止を図るべく、受信したタイムリストに基づくマーク付与は行わないことになる。具体的に、この場合のビデオカメラ装置３は、各マーカーＩＤが一致しないと判別したことに応じ、新たなタイムリストの受信を待機する。
【００５４】
一方、各マーカーＩＤが一致していることが確認された場合は、先ずは<６>と示すように、タイムリスト中の未取得のマーク時刻情報を取得する。その上で、次の<７>と示すように、クリップテーブルの情報内容からマーク時刻情報がどのクリップに対応するものかを特定する。
【００５５】
ここで、先の図６の説明からも理解されるように、クリップテーブルは、光ディスクＤに記録されたクリップごとの記録開始時刻を表す情報となる。従って、このクリップテーブルの情報内容に基づけば、取得したマーク時刻情報がどのクリップに対応するものであるか（どのクリップに対するマーク指示タイミングを表すものであるか）を特定することができる。
具体的に、取得したマーク時刻情報とクリップとの対応関係の特定は、登録マーカーＩＤの付されたクリップテーブルを参照し、取得したマーク時刻情報が示す時刻よりも時刻的に前となる記録開始時刻が対応づけられているクリップのうちで、取得したマーク時刻情報が示す時刻との時刻差が最も小さい記録開始時刻が対応づけられているクリップを特定することで行う。換言すれば、取得したマーク時刻情報が示す時刻よりも前で且つ最も時刻的に近い記録開始時刻の対応づけられたクリップを特定するものである。
【００５６】
なお、確認のために述べておくと、この場合は先のペアリングによってマーカー装置２側の計時時刻とビデオカメラ装置３側の計時時刻との同期がとられた状態となっているので、このようなクリップ記録開始時刻に基づくマーク時刻情報とクリップとの対応関係特定が正確に行われるように図られている。
【００５７】
上記のようにして取得したマーク時刻情報とクリップとの対応関係を特定すると、<８>と示すようにして、マーク時刻→タイムコードの変換を行う。先に説明したように、本例の場合、クリップの時間軸上の位置を示すための情報として、タイムコードが付される。そしてこのことから、先の図２に示したマークテーブルのように、クリップに対して付すマーク位置の情報としてもタイムコードにより管理する。
このような事情から、本例の場合は、取得したマーク時刻情報を、該当するクリップの記録開始時点からの経過時間長であるところのタイムコードの情報に変換する必要がある。
【００５８】
ここで、先の<７>の動作により、既に取得したマーク時刻情報とクリップとの対応関係は特定されている。<８>のタイムコード変換は、この対応関係の情報に基づき、取得したマーク時刻情報が示す時刻と、クリップテーブルにおける該当するクリップの記録開始時刻との差分を求めることで行う。
【００５９】
上記<８>の動作によりタイムコード変換を行うと、<９>と示すようにして、マークテーブルの更新（生成）を行う。
ここで、例えば現在記録中のクリップに対応するマーク時刻情報を初回に取得した場合には、その記録中のクリップに対するマークテーブルは存在しない状態にある。従ってその場合は、取得したマーク時刻情報に基づく新たなマークテーブルを生成することになる。
具体的には、取得したマーク時刻情報をタイムコード変換して得たタイムコードの情報と、記録中のクリップのクリップNo.の情報とを格納したマークテーブルを新規に生成する。なお、先に説明したように、本例の場合、マークテーブルにおけるマーク位置ごとのタイトル情報としては「No Title」の情報を格納することになる。
一方、取得したマーク時刻情報が既にマークテーブルの生成されたクリップに対応するものであった場合、既存のマークテーブルに対し、取得したマーク時刻情報をタイムコード変換して得たタイムコード情報（及び「No Title」の情報）が追加されるようにしてマークテーブルの更新を行う。
【００６０】
ここで、確認のために述べておくと、上記のようにして記録中のクリップについてのマークテーブルを新規生成した場合、該生成したマークテーブルの情報は、例えばクリップの記録が終了した後の所定タイミングにおいて光ディスクＤに記録することになる。
また、既存のマークテーブルを更新した場合としても、クリップの記録中には該更新したマークテーブルを光ディスクＤに記録することはできないので、クリップの記録が終了した後の所定タイミングでマークテーブルを光ディスクＤに記録することになる。
【００６１】
上記のようにして本実施の形態のマーク付与システム１によれば、クリップに対するマーク付与のタイミング指示は、ビデオカメラ装置３とは別体のマーカー装置２を利用して行うことができるようになる。
つまりこのことで、マークの付与のタイミング指示は、マーカー装置２を携えたカメラマン以外の人物が行うことができ、結果、従来の取材システムのようにカメラマン本人がカメラ本体に設けられたマークボタンを操作してマーク付与タイミング指示を行わなければならなかった場合と比較すれば、より確実に、且つ適切なタイミングでマーク付与タイミングの指示が行われるようにすることができる。
【００６２】
また、本実施の形態では、マーカー装置２とビデオカメラ装置３との間で事前に計時時刻の同期を行う。このような事前の時刻同期を行っておくことで、マーク付与位置の精度をより高めることができる。
具体的に、本実施の形態では、クリップに付されるマーク位置の管理は、タイムコードにより行うが、このような事前の時刻同期が行われていることで、クリップの記録開始時刻の情報に基づくタイムコードへの変換がより正確に行われるようになって、その結果、マーク付与位置の精度が向上する。
【００６３】
また、本実施の形態では、マーカー装置２に対してマーカーＩＤ１１ｂを割り与えておき、該マーカーＩＤ１１ｂをビデオカメラ装置３に事前登録しておくものとしている。そして、この登録したマーカーＩＤ１１ｂと一致するマーカーＩＤの付されたマーカー装置２からのマーク時刻情報に基づいてのみ、クリップに対するマーク付与を行う。
このことで、事前登録されていないマーカー装置２が送信したマーク時刻情報に基づく意図しないマーク付与が行われてしまうことの防止が図られる。
【００６４】
また、本実施の形態において、マーカー装置２側では、ボタン操作に応じて取得した過去のマーク時刻情報も含めて、マーク時刻情報をリスト化して送信するが、このことで、ビデオカメラ装置３側でのマーク時刻情報の受信漏れの防止が図られる。つまりこの点でも、正確なマーク付与が行われるように図られている。
【００６５】
[処理手順]
続いて、上記により説明した第１の実施の形態としての動作を実現するために実行されるべき処理の手順について、図８〜図１１のフローチャートを参照して説明する。
なお、これら図８〜図１１のフローチャートにおいて、マーカー装置２側の処理の手順については、ＣＰＵ１０が制御プログラム１１ａに基づき実行する処理の手順として示している。またビデオカメラ装置３側の処理の手順については、ＣＰＵ３０がマーク付与プログラムに基づき実行する処理の手順として示している。
【００６６】
図８は、先の図５（ａ）にて説明した取材前のペアリング時に対応して実行されるべき処理手順について示している。
先ず、ビデオカメラ装置３側では、図中のステップＳ１０１により、ペアリングを開始すべき状態となるまで待機する。先にも述べたように、ペアリングの開始指示は、ビデオカメラ装置３が表示する機能提示画面中の「ペアリング」の機能項目を指定することで行われる。このためステップＳ１０１では、上記機能提示画面中の「ペアリング」の項目を指定する操作が行われるまで待機する処理となる。
【００６７】
上記「ペアリング」の項目が指定されペアリングを開始すべき状態となった場合は、ステップＳ１０２において、マーカー装置２との間の通信が可能な状態であるか否かを判別する。すなわち、図４に示したＵＳＢ接続端子３Ａにおいてマーカー装置２側のＵＳＢ接続端子２Ａが接続されてマーカー装置２との間で通信が可能な状態であるか否かを判別する。
ステップＳ１０２において、マーカー装置２との間での通信が可能な状態ではないとして否定結果が得られた場合は、図示するようにしてこの図に示す処理動作を終了することになる。
【００６８】
一方、ステップＳ１０２において、マーカー装置２との間での通信が可能な状態であるとして肯定結果が得られた場合は、ステップＳ１０３に進み、現在時刻情報とマーカーＩＤとについての転送要求処理を行う。すなわち、現在時刻情報とマーカーＩＤとの転送（送信）を要求するための転送要求がマーカー装置２に対して行われるようにＵＳＢインタフェース３５を制御する。
【００６９】
マーカー装置２側では、図中のステップＳ２０１において、ビデオカメラ装置３側からの上記転送要求を待機する。そして、転送要求があった場合は、ステップＳ２０２において、現在時刻情報とマーカーＩＤの転送処理を実行する。すなわち、計時部１３により計時されている現在時刻情報と、メモリ部１１内に格納されているマーカーＩＤ１１ｂの情報とがビデオカメラ装置３に対して転送（送信）されるようにＵＳＢインタフェース１５を制御する。
このステップＳ２０２の転送処理を実行すると、この図に示すマーカー装置２側の処理動作は終了となる。
【００７０】
ビデオカメラ装置３側では、先のステップＳ１０３による転送要求処理の実行後において、図中のステップＳ１０４の処理によりマーカー装置２側からの各情報（現在時刻情報・マーカーＩＤ１１ｂ）の受信を待機する。
そして、マーカー装置２側から現在時刻情報とマーカーＩＤ１１ｂの情報とが受信された場合は、ステップＳ１０５において、計時中の時刻情報を受信時刻と同期させる処理を実行する。すなわち、計時部２８の計時時刻情報をマーカー装置２側から受信した時刻情報に基づき修正する。
さらに、続くステップＳ１０６では、受信マーカーＩＤを対象マーカーＩＤとして登録する処理を実行する。つまり、受信したマーカーＩＤ１１ｂを、ペアリング対象のマーカー装置２についてのＩＤ情報として登録する。
このステップＳ１０６の処理を実行するとこの図に示す処理動作は終了となる。
【００７１】
図９は、ビデオカメラ装置３側にて行われるクリップテーブルの生成のための処理手順を示している。
図９において、先ずステップＳ３０１では、クリップの記録を開始すべき状態となるまで待機する。先に述べたように、光ディスクＤに対するクリップの記録（録画）は、操作部２７に設けられた録画開始ボタンの操作に応じて開始する。従ってこのステップＳ３０１の処理としては、上記操作部２７より録画開始ボタンに応じた操作入力情報が供給させるまで待機する処理となる。
【００７２】
上記録画ボタンが操作されてクリップの記録を開始すべき状態となった場合は、ステップＳ３０２において、現在時刻情報の取得処理を実行する。つまり、計時部２８にて計時されている現在時刻情報を取得する。このステップＳ３０２にて取得した現在時刻情報は、クリップの記録開始時刻の情報として扱うことができる。
【００７３】
続くステップＳ３０３では、光ディスクＤにクリップが未記録であるか否かを判別する。
先に述べたようにして、ビデオカメラ装置３では、例えば光ディスクＤが装填されたタイミングで光ディスクＤに記録される管理情報等が読み出され、ここでクリップテーブルの記録／未記録が判定されている。ステップＳ３０３による判別処理は、このような事前の判定結果の情報に基づき行うことになる。
【００７４】
上記ステップＳ３０３において、光ディスクＤにクリップテーブルが記録されておらず、クリップが未記録であれるとして肯定結果が得られた場合は、ステップＳ３０５に進み、登録ＩＤ、記録クリップNo.及び取得した時刻情報を格納したクリップテーブルを生成する。すなわち、先の図８におけるステップＳ１０６の処理で登録したマーカーＩＤの情報と、現在記録中のクリップに対して割り当てたクリップNo.の情報と、上記ステップＳ３０２の処理で取得した時刻情報（記録開始時刻情報）とを、先の図６に示したような形式により格納したクリップテーブルを生成する。
このステップＳ３０５の処理を実行するとこの図に示される処理動作は終了となる。
【００７５】
一方、上記ステップＳ３０３において、光ディスクＤにクリップテーブルが記録されていてクリップが未記録ではないとの否定結果が得られた場合は、ステップＳ３０４に進み、先ずは登録マーカーＩＤと一致するマーカーＩＤの付されたクリップテーブルがあるか否かを判別する。
なお、このステップＳ３０４で用いるクリップテーブルの情報としては、先に述べたディスク装填時の管理情報の読み出しにより読み出されメモリ部２９に保持されたものを用いることになる。
【００７６】
上記ステップＳ３０４において、登録マーカーＩＤと一致するマーカーＩＤの付されたクリップテーブルがないとして否定結果が得られた場合は、先に説明したステップＳ３０５に進むことで、登録マーカーＩＤを付した新たなクリップテーブルを生成する。
また、上記ステップＳ３０４において、登録マーカーＩＤと一致するマーカーＩＤの付されたクリップテーブルがあるとして肯定結果が得られた場合は、ステップＳ３０６に進み、該当するクリップテーブルに記録クリップNo.、取得した時刻情報が追加されるように情報更新を行う。つまり、予め光ディスクＤから読み出されメモリ部２９に保持された該当するクリップテーブル（登録マーカーＩＤと一致するマーカーＩＤの付されたクリップテーブル）に対し、現在記録中のクリップに対して割り当てたクリップNo.の情報と、上記ステップＳ３０２の処理で取得した時刻情報（記録開始時刻情報）とが追加されるように、上記該当するクリップテーブルの情報内容を更新する。
このステップＳ３０６の処理を実行するとこの図に示す処理動作は終了となる。
【００７７】
なお、図示による説明は省略するが、先にも述べたように、クリップの記録開始に応じて新規生成したクリップテーブルの情報は、例えばクリップの記録動作が終了したタイミングなど所定タイミングで光ディスクＤに記録することになる。具体的にＣＰＵ３０は、クリップの記録動作が終了したとされたことに応じて、ステップＳ３０５により生成したクリップテーブルが光ディスクＤに対して記録されるようにメディアドライブ２５を制御することになる。
また、上記ステップＳ３０６にて登録マーカーＩＤと一致するマーカーＩＤの付されたクリップテーブルの情報内容を更新した場合としても、更新後のクリップテーブルの情報は、クリップの記録動作が終了したタイミングなど所定タイミングで光ディスクＤに記録することになる。
【００７８】
続いて、図１０は、取材時におけるマーカー装置２側の処理の手順を示している。
先に説明したように、取材時においてマーカー装置２は、タイムリストを所定時間おきに送信する。このため、先ずは図中のステップＳ４０１において、タイムカウントを開始するようにされる。
【００７９】
続くステップＳ４０２では、ボタン操作が行われたか否かを判別する。すなわち、先に説明したマークボタンに応じた操作入力信号が操作部１２から供給されたか否かを判別する。
ステップＳ４０２において、上記マークボタンに応じた操作入力信号が供給されボタン操作が行われたとして肯定結果が得られた場合は、ステップＳ４０３に進み、計時部１３により計時されている現在時刻情報を取得する。
そして、続くステップＳ４０４において、取得した現在時刻情報をマーク時刻情報としてタイムリストに追加する処理を実行する。
なお、このステップＳ４０４の処理は、タイムリストを未生成の場合には、既存のタイムリストへのマーク時刻情報の「追加」ではなく、マーカーＩＤ１１ｂと取得した時刻情報とを図７に示した形式により格納したタイムリストを新規生成する処理となることは言うまでもない。
上記ステップＳ４０４の処理を実行すると、図示するようにして先のステップＳ４０２のボタン操作待機処理に戻り、これによってボタン操作ごとにマーク時刻情報がタイムリストに追加される。
【００８０】
また、上記ステップＳ４０２において、上記マークボタンに応じた操作入力信号が供給されておらずボタン操作が行われていないとして否定結果が得られた場合は、ステップＳ４０５に進み、所定時間が経過したか否かを判別する。
ステップＳ４０５において、所定時間が経過していないとして否定結果が得られた場合にはステップＳ４０２に戻る。
【００８１】
また上記ステップＳ４０５において、所定時間が経過したとして肯定結果が得られた場合は、ステップＳ４０６に進み、ビデオカメラ装置にタイムリストを送信する処理を実行する。つまり、無線通信部１４を制御してタイムリストをビデオカメラ装置３に対して送信させる。
ステップＳ４０７の処理を実行すると、先のステップＳ４０２に戻る。
【００８２】
また、図１１は、取材時におけるビデオカメラ装置３側の処理手順を示している。
図１１において、先ずステップＳ５０１では、タイムリストの受信を待機する。そして、無線通信部３４によりマーカー装置２側からのタイムリストが受信された場合は、ステップＳ５０２に進み、タイムリストからマーカーＩＤを抽出する。
【００８３】
続くステップＳ５０３では、登録マーカーＩＤと一致するか否かを判別する。すなわち、上記ステップＳ５０２にて抽出（取得）したマーカーＩＤと、先の図８におけるステップＳ１０６にて登録したマーカーＩＤとが一致するか否かを判別する。
このステップＳ５０３において、各マーカーＩＤが一致しないとして否定結果が得られた場合は、先のステップＳ５０１に戻る。このことで、事前登録されていないマーカー装置２からのタイムリストに基づく意図しないマーク付与が行われてしまうことの防止が図られる。
【００８４】
また、上記ステップＳ５０３において、各マーカーＩＤが一致するとして肯定結果が得られた場合は、ステップＳ５０４に進み、受信したタイムリストから未取得のマーク時刻情報を取得する。
そして、続くステップＳ５０５では、登録マーカーＩＤが付されたクリップテーブルの情報内容に基づき、取得したマーク時刻情報がどのクリップに対応するものであるかを特定する処理を行う。
先に説明したように、取得したマーク時刻情報とクリップとの対応関係の特定は、登録マーカーＩＤの付されたクリップテーブルを参照し、取得したマーク時刻情報が示す時刻よりも時刻的に前となる記録開始時刻が対応づけられているクリップのうちで、取得したマーク時刻情報が示す時刻との時刻差が最も小さい記録開始時刻が対応づけられているクリップを特定することで行う。
【００８５】
次のステップＳ５０６では、マーク時刻→タイムコードの変換処理を行う。すなわち、取得したマーク時刻情報が示す時刻と、クリップテーブルに格納されている、該取得したマーク時刻情報と対応関係にあるクリップの記録開始時刻との差分の時間長を計算してタイムコード情報を得る。
【００８６】
続くステップＳ５０７では、マークテーブルの更新（生成）処理を行う。
ここで、先にも述べたように、例えば現在記録中のクリップに対応するマーク時刻情報を初回に取得した場合には、その記録中のクリップに対するマークテーブルは存在しない状態にある。従ってその場合は、取得したマーク時刻情報に基づく新たなマークテーブルを生成することになる。具体的には、取得したマーク時刻情報をタイムコード変換して得たタイムコードの情報と、記録中のクリップに割り当てたクリップNo.の情報とを格納したマークテーブルを新規に生成する。この場合、マークテーブルにおけるマーク位置ごとのタイトル情報としては「No Title」の情報を格納する。
一方、取得したマーク時刻情報が既にマークテーブルの生成されたクリップに対応するものであった場合、そのクリップのマークテーブルに対し、取得したマーク時刻情報をタイムコード変換して得たタイムコード情報（及び「No Title」の情報）が追加されるようにしてマークテーブルの更新を行う。
なお、先に説明したように、上記のようにして記録中のクリップについてのマークテーブルを新規生成した場合、該生成したマークテーブルの情報は、例えばクリップの記録が終了した後の所定タイミングにおいて光ディスクＤに記録することになる。具体的に、その場合のＣＰＵ３０は、クリップの記録が終了したとされたことに応じて、新規生成したマークテーブルの情報が光ディスクＤに対して記録されるようにメディアドライブ２５を制御する。
また、マークテーブルを更新した場合としても、クリップを記録中である場合には、そのクリップの記録が終了したことに応じて、マークテーブルを光ディスクＤに記録することになる。
【００８７】
上記ステップＳ５０７の処理を実行すると、先のステップＳ５０１に戻り、これによってマーカー装置２からの再度のタイムリストの受信を待機する。
【００８８】
＜第２の実施の形態＞
続いて、第２の実施の形態について説明する。
第２の実施の形態は、第１の実施の形態のように取材時にマーク付与を行うのではなく、取材後においてマーク付与を行うものである。
ここで、取材中には、マーカー装置からビデオカメラ装置３に対するタイムリストの送信は、無線により行う必要性があったが、取材後においては、タイムリストの送信は有線通信により行うこともできる。この点から以下では、取材後のタイムリストの送信は、マーカー装置をビデオカメラ装置側にＵＳＢ接続して行う場合を例に説明を行う。
【００８９】
図１２は、第２の実施の形態としてのマーカー装置４０の内部構成を示し、図１３は、第２の実施の形態としてのビデオカメラ装置４１の内部構成を示している。なお、これら図１２、図１３において、既に第１の実施の形態で説明した部分と同様となる部分については同一符号を付して説明を省略する。
【００９０】
図１２において、この場合のマーカー装置４０としては、先の図３に示したマーカー装置２と比較して、無線通信部１４が省略された点が異なる。また、メモリ部１１内の制御プログラム１１ａに代えて、後述する第２の実施の形態としての動作を実現するために行われるべき処理をＣＰＵ１０に実行させるための制御プログラム１１ｃが格納される点が異なる。
【００９１】
また、図１３において、この場合のビデオカメラ装置４１としては、先の図４に示したビデオカメラ装置３との比較では、無線通信部３４が省略される点と、マーク付与プログラム２９ａに代えて第２の実施の形態としての動作を実現するために行われるべき処理をＣＰＵ３０に実行させるためのマーク付与プログラム２９ｂが格納される点とが異なる。
【００９２】
図１４は、第２の実施の形態としての動作を模式的に示した図である。
図１４（ａ）は取材時に対応してマーカー装置４０にて行われる動作を模式的に示し、図１４（ｂ）は取材後におけるマーカー装置４０、ビデオカメラ装置４１の動作を模式的に示している。
なお、図示は省略したが、この場合も取材前においては、マーカー装置４０とビデオカメラ装置４１との間で、先の第１の実施の形態で説明したものと同様のペアリングが行われることになる。すなわち、取材前には、マーカー装置４０とビデオカメラ装置４１との間での計時時刻の同期、及びビデオカメラ装置４１に対するマーカー装置４０のマーカーＩＤの登録が行われる。
【００９３】
先ず、図１４（ａ）の取材時において、この場合のマーカー装置４０の動作としては、第１の実施の形態のマーカー装置２による取材時の動作と比較して、タイムリストを所定時間おきに送信する動作が省略された点のみが異なる。つまり、図１４（ａ）に示すようにマーカー装置４０の取材時に対応した動作としては、ボタン操作時の時刻情報をマーク時刻情報として取得する動作（図中<１>）と、マーク時刻情報をタイムリストに追加する動作（図中<２>）のみを行う。
【００９４】
第２の実施の形態では、取材後において、マーカー装置４０がビデオカメラ装置４１側にＵＳＢ接続されて、マーカー装置４０側のタイムリストがビデオカメラ装置４１側に送信（転送）されることになる。
図１４（ｂ）において、取材後には、ビデオカメラ装置４１が、<１>と示すようにマーカー装置４０に対するタイムリストの転送要求を行う。
この場合、ビデオカメラ装置４１は、転送要求をユーザ操作に基づき行うものとされている。具体的に、この場合のビデオカメラ装置４１としても、先に説明したような機能提示画面の表示機能を有しており、この機能提示画面内に、「タイムリストの取込」の機能項目を表示するものとしている。ビデオカメラ装置４１は、上記機能提示画面の表示状態にて、上記「タイムリストの取込」の項目がユーザ操作により指定されたことに応じて、マーカー装置４０へのタイムリストの転送要求を行うことなる。
【００９５】
マーカー装置４０は、ビデオカメラ装置４１からのタイムリストの転送要求が行われたことに応じて、<２>と示すように、ビデオカメラ装置４１へのタイムリストの転送を行う。
【００９６】
ビデオカメラ装置４１は、図中の<３>でタイムリストを受信すると、<４>と示すようにして、マーカーＩＤが予め登録されたものか確認する。つまり、先に述べたようにして、この場合もマーカー装置４０とビデオカメラ装置４１との間では事前のペアリングが行われることが前提とされているので、該ペアリングにより登録したマーカーＩＤと、受信したタイムリストから抽出したマーカーＩＤとが一致しているかどうかの確認を行う。
この場合も受信したマーカーＩＤが登録マーカーＩＤと一致しない場合には、受信したタイムリストに基づくマーク付与は行わない。このような登録マーカーＩＤに基づく認証を行うことで、この場合としても意図しないマーク付与が行われてしまうことの防止が図られる。
【００９７】
ここで、取材後にマーク付与を行う第２の実施の形態では、ユーザは、ビデオカメラ装置４１内の光ディスクＤに記録されたクリップに対してマーク付与を行うことを意図して、ビデオカメラ装置４１にマーカー装置４０を接続することになる。このような場合において、仮に、何らの通知も行われずに上記のようにマーク付与が行われない事態となると、ユーザの混乱を招く虞がある。
そこで第２の実施の形態の場合、上記のように各マーカーＩＤが一致しない場合には、ユーザに対し、事前ペアリングされていない誤ったマーカー装置４０が接続された旨の通知を行う（図示は省略）。具体的には、表示部３２に例えば「ペアリングされたマーカーではありません。」等の所定のメッセージを表示する。これにより、マーク付与が行われない点と、その理由とをユーザに適切に通知することができ、ユーザの混乱を防止できる。
【００９８】
一方、上記各マーカーＩＤが一致する場合には、図中の<５>以下に続く動作により、受信したタイムリストに基づくマーク付与を行う。具体的には、<５>のタイムリスト内のマーク時刻情報とクリップとの対応関係の特定動作、<６>のマーク時刻→タイムコード変換動作、及び<７>のマークテーブルの更新（生成）動作を行うことで、取材時に光ディスクＤに記録されたクリップに対するマーク付与を行う。
なお、これら<５>〜<７>の動作については第１の実施の形態の場合と同様となるので改めての説明は省略する。
【００９９】
このようにして第２の実施の形態によれば、取材時においてマーカー装置４０が蓄積したマーク時刻情報に基づいて、取材後に、ビデオカメラ装置４１がまとめてマーク付与を行うことができる。
【０１００】
続いて、上記により説明した第２の実施の形態としての動作を実現するための処理手順について、次の図１５、図１６のフローチャートを参照して説明する。
なお、確認のために述べておくと、この場合のマーカー装置４０、ビデオカメラ装置４１としても、それぞれ図８に示した取材前のペアリングのための処理を実行する。
また、この場合のビデオカメラ装置４１としても、第１の実施の形態のビデオカメラ装置３と同様に、図９に示したクリップテーブルの生成処理、及び生成したクリップテーブルの光ディスクＤに対する記録処理を行う。
【０１０１】
図１５は、取材時においてマーカー装置４０側で実行されるべき処理の手順について示している。なお、この図１５では取材時にマーカー装置４０側で実行されるべき処理の手順を、図１２に示したＣＰＵ１０がメモリ部１１内の制御プログラム１１ｃに基づき実行する処理の手順として示している。
この図１５に示す処理手順と、先の図１０に示した処理手順とを比較してわかるように、この場合のマーカー装置４０による取材時の処理手順は、図１０に示す取材時の処理手順から、所定時間おきにタイムリストを送信するための処理を省略したものとなる。
具体的には、図中のステップＳ６０１において、ボタン操作（マークボタン操作）が行われるまで待機する処理を行い、ボタン操作が行われた場合には、ステップＳ６０２において現在時刻情報の取得を行う。その上で、次のステップＳ６０３では、取得した現在時刻情報をマーク時刻情報としてタイムリストに追加する処理を行い、このステップＳ６０３の処理の実行後は、ステップＳ６０１の待機処理に戻る。
なお、ステップＳ６０２、Ｓ６０３の処理は、それぞれ図１０で説明したステップＳ４０３、Ｓ４０４の処理と同様となることから改めての説明は省略する。
【０１０２】
また、図１６は、取材後においてマーカー装置４０、ビデオカメラ装置４１のそれぞれで実行されるべき処理の手順を示している。
なお、この図１６においては、マーカー装置４０側で実行されるべき処理の手順を、図１２に示したＣＰＵ１０がメモリ部１１内の制御プログラム１１ｃに基づき実行する処理の手順として示し、また、ビデオカメラ装置４１側で実行されるべき処理の手順については、図１３に示したＣＰＵ３０がメモリ部２９内のマーク付与プログラム２９ｂに基づき実行する処理の手順として示している。
【０１０３】
先ず、ビデオカメラ装置４１側において、図中ステップＳ８０１では、取込を開始すべき状態となるまで待機する。すなわち、上述した機能提示画面の表示状態において「タイムリストの取込」の機能項目がユーザ操作により指定されるなど、マーカー装置４０からのタイムリストの取込を開始すべきとして予め定められた所定のトリガの発生を待機する。
【０１０４】
そして、上記「タイムリストの取込」の機能項目がユーザ操作により指定されるなど、所定のトリガが発生した場合は、ステップＳ８０２において、マーカー装置４０との間の通信が可能な状態であるか否かを判別する。すなわち、図１３に示したＵＳＢ接続端子３Ａにおいてマーカー装置４０側のＵＳＢ接続端子２Ａが接続されてマーカー装置４０との間で通信が可能な状態であるか否かを判別する。
ステップＳ８０２において、マーカー装置４０との間での通信が可能な状態ではないとして否定結果が得られた場合は、図示するようにしてこの図に示す処理動作を終了することになる。
【０１０５】
一方、ステップＳ８０２において、マーカー装置４０との間での通信が可能な状態であるとして肯定結果が得られた場合は、ステップＳ８０３に進み、タイムリストの転送要求処理を行う。すなわち、マーカー装置４０側に対するタイムリストの転送要求が行われるようにＵＳＢインタフェース３５を制御する。
【０１０６】
マーカー装置４０側では、図中のステップＳ７０１において、ビデオカメラ装置４１側からの上記転送要求を待機する。そして、転送要求があった場合は、ステップＳ７０２において、タイムリストの転送処理を実行する。すなわち、先の図１５に示した処理によって生成（更新）され例えばメモリ部１１に保持されているタイムリストの情報が、ビデオカメラ装置４１に対して転送（送信）されるようにＵＳＢインタフェース１５を制御する。
このステップＳ７０２の転送処理を実行すると、この図に示すマーカー装置４０側の処理動作は終了となる。
【０１０７】
ビデオカメラ装置４１側では、先のステップＳ８０３による転送要求処理の実行後において、図中のステップＳ８０４の処理によりマーカー装置４０側からのタイムリストの情報の受信を待機する。
そして、マーカー装置４０側からタイムリストの情報が受信された場合は、ステップＳ８０５において、受信されたタイムリストからマーカーＩＤを抽出した後、ステップＳ８０６において、登録マーカーＩＤと一致するか否かを判別する。すなわち、取材前のペアリングによって登録したマーカーＩＤと、上記ステップＳ８０５にて抽出したマーカーＩＤとが一致するか否かを判別する。
【０１０８】
上記ステップＳ８０６において、各マーカーＩＤが一致しないとして否定結果が得られた場合は、ステップＳ８１１に進んでエラー処理を実行する。このステップＳ８１１のエラー処理では、例えば「ペアリングされたマーカーではありません。」等の所定のメッセージが表示部３２に表示されるように表示制御部３１に対する指示を行う。
このようなエラー処理が実行されることで、接続されたマーカー装置４０が事前ペアリングされたものでなく、マーク付与が行われない旨の通知を行うことができ、これによってユーザの混乱の防止を図ることができる。
【０１０９】
一方、上記ステップＳ８０６において各マーカーＩＤが一致するとして肯定結果が得られた場合は、ステップＳ８０７に進み、該ステップＳ８０７〜Ｓ８１０までの処理により、受信タイムリストに基づくマーク付与のための処理を実行することになる。
なお、これらステップＳ８０７〜Ｓ８１０による受信タイムリストに基づくマーク付与のための処理は、先の図１１にて説明したステップＳ５０４〜Ｓ５０７による処理と同様となることから改めての説明は省略する。
【０１１０】
但し、第２の実施の形態の場合、ユーザは取材後においてビデオカメラ装置４１にマーカー装置４０を接続してマーク付与を行わせるので、上記ステップＳ８０７〜Ｓ８１０の処理が、第１の実施の形態の場合のように光ディスクＤへのクリップの記録中に行われることは想定され得ない。このため第２の実施の形態の場合、ステップＳ８１０にて更新（生成）したマークテーブルの情報は、直ちに光ディスクＤに記録することができる。或いは、光ディスクＤに記録されるマークテーブルを直接更新することもできる。
【０１１１】
ここで、上記による説明では、取材後にマーク付与を行う場合の例として、ビデオカメラ装置４１にてマーク付与（マークテーブルの更新・生成、及び光ディスクＤに対するマークテーブルの記録）を行う場合を例示したが、取材後におけるマーク付与としては、ビデオカメラ装置４１により記録されたクリップについての編集を行う、編集機４５において行うようにすることもできる。
【０１１２】
図１７は、編集機４５によりマーク付与を行う場合の動作例を模式的に示した図である。
この図１７に示されるようにして、取材後に編集機４５によってマーク付与を行う場合としても、先ずは取材前の段階で、マーカー装置４０とビデオカメラ装置４１との間でペアリングを行っておく。つまり、マーカー装置４０とビデオカメラ装置４１との間での時刻同期と、マーカー装置４０に記憶されるマーカーＩＤ１１ｂのビデオカメラ装置４１側への登録を行うものである。
【０１１３】
そして、この場合も取材時には、ユーザは、マーカー装置４０のマークボタンを操作することでマーク付与タイミングの指示を行って、マーカー装置４０にタイムリストを生成させる。この取材時までの動作については、先の図１４（ａ）にて説明したものと同様となる。
【０１１４】
ここで、取材時において、ビデオカメラ装置４１は、クリップの記録に応じて、クリップテーブルを光ディスクＤに記録することになる（図９のフローチャートを参照）。つまりこれによって、光ディスクＤに対しては、そこに記録されるクリップと、そのクリップの記録開始時刻と、さらにそのクリップがどのマーカー装置４０とのペアリング後に記録されたものであるかを示す情報が記録されることになる。
なお確認のために述べておくと、この場合もマーカー装置４０とビデオカメラ装置４１との間で事前のペアリングが行われることで、クリップテーブルにおける記録開始時刻の情報が、マーカー装置４０側と同期された時刻に基づくものとなるようにできる。
【０１１５】
編集機４５においては、このようにして光ディスクＤに記録されるクリップテーブルの情報を用いて、装填された光ディスクＤに記録されるクリップへのマーク付与を行うことになる。
具体的に、この場合の取材後には、編集機４５に対して、マーカー装置４０がＵＳＢ接続される。編集機４５においても、先に説明したような機能提示画面の表示機能を有しており、この機能提示画面内に、「タイムリストの取込」の機能項目を表示するものとしている。編集機４５は、上記機能提示画面の表示状態にて、上記「タイムリストの取込」の項目がユーザ操作により指定されたことに応じて、マーカー装置４０へのタイムリストの転送要求を行う。
【０１１６】
このようにタイムリストの要求を行った以降、装填された光ディスクＤに記録されるクリップに対するマーク付与を行うための動作については、先の図１４（ｂ）にて説明したビデオカメラ装置４１側の動作と同様となることから改めての説明は省略する。
但しこの場合、マーカー装置４０との事前ペアリングは、ビデオカメラ装置４１に対して行われるものであり、従って編集機４５には登録マーカーＩＤの情報は存在しないことになる。このことから、編集機４５においては、図１４（ｂ）に示した<４>の動作（マーカーＩＤが予め登録されたものであるか確認する動作）は行わないことになる。
その代わりとして、この場合には、<５>の対応関係特定動作として、受信したタイムリスト内のマーカーＩＤと一致するマーカーＩＤの付されたクリップテーブルの情報内容に基づき、タイムリスト内の各マーク時刻情報がどのクリップに対応するものであるかを特定することになる。このことによって、マーク付与の対象とするクリップは、編集機４５に接続されたマーカー装置４０と事前のペアリングが行われたビデオカメラ装置４１にて記録されたクリップのみに絞ることができ、この結果、意図しないクリップへのマーク付与が行われてしまうことの防止を図ることができる。
【０１１７】
図１８は、上記による動作を実現するための編集機４５の内部構成を例示したブロック図である。
なお、この図１８において、既に説明した部分と同様となる部分については同一符号を付して説明を省略する。
【０１１８】
この編集機４５としては、先の図１３に示したビデオカメラ装置４１の構成からカメラブロック２０、撮像信号処理部２１、エンコーダ２２、カメラ制御部２３、タイムコード発生部２４を省略した上で、編集処理部４６と、ＨＤＤ（Hard Disc Drive）４７とを追加したものとなる。
上記編集処理部４６、及びＨＤＤ４７は、それぞれバス２６を介してＣＰＵ３０と接続されている。
【０１１９】
上記編集処理部４６は、光ディスクＤに記録されたクリップについての編集処理を行う。例えば編集処理の内容としては、指定区間のカットやクリップの結合処理などを挙げることができる。
また、上記ＨＤＤ４７は、ＣＰＵ３０の指示に基づき各種データの格納を行う。例えばこのＨＤＤ４７は、上記編集処理部４６による編集処理後のクリップの格納などに用いられる。
【０１２０】
先の図１７にて説明した編集機４５としての動作を実現するために、この場合のＣＰＵ３０は、マーク付与プログラム２９ｂに基づく処理を行う。但し、マーク付与にあたり編集機４５にて実行されるべき処理としては、先の図１６に示したビデオカメラ装置４１側の処理と同様の処理のみとなり、事前ペアリングのための処理は実行する必要はない。つまり、この場合のマーク付与プログラム２９ｂとしては、マーカー装置４０との間の事前ペアリングのための処理（図８のビデオカメラ装置側の処理）を実行させるためのプログラムは省略されたものとなる。
また、このように編集機４５ではマーカー装置４０との間の事前登録は行われないものとなるので、ステップＳ８０４の判別処理とステップＳ８１１によるエラー処理は省略されるものとなり、また、ステップＳ８０８においては、「登録マーカーＩＤと一致するマーカーＩＤの付されたクリップテーブルの情報内容に基づき、取得したマーク時刻情報がどのクリップに対応するものであるかを特定」するのではなく、「タイムリストから抽出したマーカーＩＤと一致するマーカーＩＤの付されたクリップテーブルの情報内容に基づき、取得したマーク時刻情報がどのクリップに対応するものであるかを特定」することになる。
【０１２１】
ここで、上記説明からも理解されるように、取材後に編集機４５にてマーク付与を行う場合には、マーカー装置４０とビデオカメラ装置４１との間でペアリングを行っておき、且つ、ビデオカメラ装置４１にてクリップテーブル（登録マーカーＩＤを含む）を生成・記録する点がポイントとなる。つまり、このことにより、取材後に編集機４５に対して装填される光ディスクＤには、事前登録したマーカー装置４０のマーカーＩＤの付されたクリップテーブルが記録されている状態を得ることができるものであり、このように光ディスクＤに記録されたクリップテーブルの情報に基づき、編集機４５においても、接続されたマーカー装置４０のマーカーＩＤを利用した、意図しないクリップへのマーク付与の防止を図ることができる。
【０１２２】
＜変形例＞
以上、本発明の実施の形態について説明したが、本発明としてはこれまでに説明した具体例に限定されるべきではない。
例えば、クリップに対するマークの付与のしかたについては、これまでで説明したマークテーブルの形式に限定されるべきものではなく、他の手法によりマークが付されるようにすることもできる。
【０１２３】
また、これまでの説明では、第１の実施の形態として取材時にマーク付与を行う場合において、登録マーカーＩＤを用いた認証（受信したマーカーＩＤの情報が登録マーカーＩＤと一致するかの確認）を行うものとしたが、第１の実施の形態において、このような登録マーカーＩＤによる認証は省略することができる。
先にも述べたように、マーカー装置２との間で事前のペアリングを行っておけば、クリップテーブルにペアリングしたマーカー装置２のマーカーＩＤを付すことができる。この点から、取材時において、先の図１１のステップＳ５０５により登録マーカーＩＤと一致するマーカーＩＤが付されたクリップテーブルのみを対象として対応関係を特定する処理が行われれば、自動的に、事前登録されてないマーカー装置２からのマーク時刻情報に基づくマーク付与は行われないようにできる。つまり、これにより、意図しないクリップへのマーク付与の防止を図ることができるものであり、従って登録マーカーＩＤを用いた認証（図１１のステップＳ５０３）は省略することができる。
【０１２４】
また、このことは、裏を返せば、取材時にマーク付与を行う場合にはクリップテーブルに登録マーカーＩＤを付す必要がないことを示唆している。すなわち、取材時にマーク付与を行う場合には、登録マーカーＩＤによる認証を行うものとしておけば、事前登録していない他のマーカー装置２から送信されたタイムリストが受信された場合に、ステップＳ５０５による対応関係特定処理以下の処理が実行されないものとなるので、ステップＳ５０５の処理としては、単にクリップテーブル内の記録開始時刻情報のみに基づく対応関係特定を行うものとすることで、結果的に適正な対応関係の特定を行うことができる。つまりこの点で、取材時にマーク付与を行う場合には、クリップテーブルに対する登録マーカーＩＤの付与は不要とすることができる。
【０１２５】
また、同様のことが、取材後にビデオカメラ装置４１がマーク付与を行う場合にも当てはまる。
つまり、取材後にビデオカメラ装置４１がマーク付与を行う場合としても、図１６に示したステップＳ８０８において、「登録マーカーＩＤが付されたクリップテーブルの情報内容に基づき、取得したマーク時刻情報がどのクリップに対応するものであるかを特定」する処理が行われるので、それ以前のステップＳ８０６において、登録マーカーＩＤによる認証を行わずとも、意図しないマーク付与が行われてしまうことの防止を図ることができる。
また逆に、ステップＳ８０６にて登録マーカーＩＤを用いた認証を行うものとしておけば、ステップＳ８０８において単にクリップテーブル内の記録開始時刻のみに基づき対応関係を特定する処理を行っても、意図しないマーク付与が行われてしまうことの防止を図ることができるので、この場合も、登録マーカーＩＤによる認証を行うものとしておけば、クリップテーブルに登録マーカーＩＤを付すことは不要とすることができる。
【０１２６】
なお、確認のために述べておくと、取材後に編集機４５にてマーク付与を行う場合には、ビデオカメラ装置４１において、クリップテーブルに登録マーカーＩＤを付すことが有効となる。
ここで、取材後に編集機４５にてマーク付与を行う場合は、編集機４５に対して、それぞれ対応関係にない光ディスクＤ、マーカー装置４０が誤って装填、接続されてしまうことが想定され得る。
そのような場合の具体的な一例を挙げる。
例えば、或るビデオカメラ装置４１（以下、カメラＡとする）と或るマーカー装置４０（マーカーＡとする）とでペアリングが行われ、その後、これらカメラＡとマーカーＡとの組み合わせで取材（取材Ａ）が行われたとする。
また、一方で、他のビデオカメラ装置４１（カメラＢとする）と他のマーカー装置４０（マーカーＢとする）との間でペアリングが行われた後、それらマーカーＢとの組み合わせで他の取材（取材Ｂ）が行われたとする。このとき、取材Ｂと取材Ａとは時刻的に並行して行われたものとする。
取材後において、取材Ａを行ったユーザは、カメラＡに装填されていた光ディスクＤを編集機４５に装填し、該編集機４５において、マーカーＡにて生成したタイムリストに基づくマーク付与を行わせることになる。
しかしこのとき、ユーザは誤って編集機４５にマーカーＢを接続してしまったとする。
上述のように、この場合の取材Ａと取材Ｂとは時刻的に並行して行われたものとなっているので、この場合においては、クリップテーブル内の記録開始時刻の情報のみに基づくクリップ・マーク時刻の対応関係特定を行ってしまうと、取材Ａにより記録されたクリップに対して、取材Ｂで用いたマーカーＢによるタイムリストに基づくマーク付与が行われてしまい、結果、意図しないマーク付与が行われてしまうことになる。
このようなケースを想定すると、取材後に編集機４５にてマーク付与を行う場合は、クリップテーブルに登録マーカーＩＤを付すようにすることが有効であることがわかる。すなわち、このようにクリップテーブルに登録マーカーＩＤを付すものとしておけば、編集機４５においては、先の図１７にて説明したように、受信タイムリスト内のマーカーＩＤと一致するマーカーＩＤの付されたクリップテーブルの情報内容に基づき、クリップ・マーク時刻の対応関係特定を行うことができ、これによって、例えば上記のケースでは取材Ａにより記録されたクリップに対して取材Ｂで用いたマーカーＢによるタイムリストに基づくマーク付与が行われてしまうことはなくなり、結果、意図しないマーク付与が行われてしまうことの防止を図ることができる。
【０１２７】
また、これまでの説明では、意図しないマーク付与が行われてしまうことの防止を図る上で、マーカーＩＤを用いる場合を例示したが、例えばユーザがクリップとマーカー装置との対応関係を適切に把握しているということを前提とした場合などには、マーカーＩＤは不要とすることができる。
一例として、例えば取材時にマーク付与を行う場合に関しては、例えば１つの取材チームでマーカー装置２を１つのみ用いる場合など、他のマーカー装置２との混線が起こらないことが保証されていれば、登録マーカーＩＤによる認証は特に不要であり、マーカー装置２へのマーカーＩＤ１１ｂの付与、及びビデオカメラ装置３側におけるステップＳ５０３の判別処理は省略することができる。
また、取材後においてマーク付与を行う場合においても、ユーザが、時刻同期を行ったマーカー装置４０とビデオカメラ装置４１との対応関係を把握していれば、マーカー装置４０へのマーカーＩＤ１１ｂの付与、及びマーク付与を行う装置（ビデオカメラ装置４１又は編集機４５）側の取材後におけるマーカーＩＤを用いた処理（ステップＳ８０６の判別処理、ステップＳ８１１のエラー処理、及び対応関係特定処理において参照するクリップテーブルを所定マーカーＩＤの付されたクリップテーブルに限定する処理）は不要とすることができる。
【０１２８】
また、これまでの説明では、取材後においてマーク付与を行う実施例では、マーク付与を行う装置側に対しマーカー装置４０をＵＳＢ接続（有線接続）する場合を例示したが、これに代えて無線接続とすることもできる。その場合、ビデオカメラ装置４１、編集機４５には、図４にて説明した無線通信部３４を設けるようにすればよい。
【０１２９】
また、これまでの説明では、取材前のペアリング時においても、マーカー装置側とビデオカメラ装置側とを有線接続する場合を例示したが、ペアリングは無線通信で行うこともできる。
なお、無線通信によりペアリングを行う場合、ビデオカメラ装置側では、例えば表示部３２上に通信可能なマーカー装置（例えばマーカーＩＤ）を表示し、通信可能なマーカー装置が複数ある場合には、そのうちから任意のマーカー装置をユーザに選択させることになる。このとき、ユーザがマーカー装置とそのＩＤとの対応関係を確実に把握していれば、意図しない装置間でのペアリングは防止されるが、実際には誤ったマーカー装置を選択してしまうなどのミスは起こりうる。
これに対し有線接続とする場合は、ペアリングさせたい装置同士を物理的に接続するので、上記のような選択ミスの防止が図られるという点で利点がある。
【０１３０】
また、第１の実施の形態において、マーカー装置２からビデオカメラ装置３に対するタイムリストの送信は、所定時間ごとに行うものとしたが、タイムリストの送信は、マークボタン操作に応じたタイミングで行ってもよい。
【０１３１】
また、第１の実施の形態では、タイムリストとして、取得したマーク時刻情報をリスト化して転送するものとしたが、マークボタン操作によりマーク時刻が指定されるごとに、逐次そのマーク時刻情報をビデオカメラ装置３側に送信してもよい。
【０１３２】
また、これまでの説明では、クリップに対しては、その記録開始時点からの経過時間長を表すタイムコードが付される場合について例示したが、例えばタイムコードに代えて時刻情報が付される場合には、もちろん、マーク時刻情報→タイムコード変換処理は不要とすることができる。
【０１３３】
また、これまでの説明では、無線ＬＡＮのアドホックモードで外部装置と直接的に無線データ通信を行う場合を例示したが、ネットワークアクセスポイントに対する近距離無線通信を介してネットワーク通信を行う構成とすることもできる。
或いは、無線データ通信の方式としては、無線ＬＡＮに限定されるべきものでなく、例えばBluetooth（登録商標）など他の方式とすることも勿論可能である。
【０１３４】
また、これまでの説明では、マーク付与の対象が動画データとされる場合を例示したが、本発明としては、例えば音声データなど他の時系列データに対してマークを付与する場合にも好適に適用することができる。
【０１３５】
また、これまでの説明では、本発明の信号処理装置が時系列データの記録対象とする記録媒体が、光ディスク記録媒体とされる場合を例示したが、例えば半導体メモリを備えたいわゆるメモリカードなどの他の記録媒体を時系列データの記録対象として用いることもできる。
【図面の簡単な説明】
【０１３６】
【図１】本発明の第１の実施の形態としてのマーク付与システムの概要を示した図である。
【図２】マーク位置を管理するためのマークテーブルのデータ構造を例示した図である。
【図３】第１の実施の形態としての端末装置の内部構成を示したブロック図である。
【図４】第１の実施の形態としての信号処理装置の内部構成を示したブロック図である。
【図５】第１の実施の形態としてのマーク付与システムにて行われる動作を模式的に示した図である。
【図６】クリップテーブルのデータ構造を例示した図である。
【図７】タイムリストのデータ構造を例示した図である。
【図８】実施の形態のマーク付与システムにおいて取材前のペアリング時に対応して実行されるべき処理の手順を示したフローチャートである。
【図９】実施の形態の信号処理装置においてクリップテーブルの生成時に対応して実行されるべき処理の手順を示したフローチャートである。
【図１０】第１の実施の形態としての端末装置において取材時に対応して実行されるべき処理の手順を示したフローチャートである。
【図１１】第１の実施の形態としての信号処理装置において取材時に対応して実行されるべき処理の手順を示したフローチャートである。
【図１２】第２の実施の形態としての端末装置の内部構成を示したブロック図である。
【図１３】第２の実施の形態としての信号処理装置の内部構成を示したブロック図である。
【図１４】第２の実施の形態としてのマーク付与システムにて行われる動作を模式的に示した図である。
【図１５】第２の実施の形態としての端末装置において取材時に対応して実行されるべき処理の手順を示したフローチャートである。
【図１６】第２の実施の形態としての信号処理装置において取材時に対応して実行されるべき処理の手順を示したフローチャートである。
【図１７】取材後に編集機によりマーク付与を行う場合のマーク付与システムにて行われる動作を模式的に示した図である。
【図１８】編集機の内部構成を示したブロック図である。
【符号の説明】
【０１３７】
１  マーク付与システム、２,４０  マーカー装置、２Ａ,３Ａ  ＵＳＢ接続端子、３,４１  ビデオカメラ装置、１０,３０  ＣＰＵ、１１,２９  メモリ部、１１ａ,１１ｃ  制御プログラム、１１ｂ  マーカーＩＤ、１２,２７  操作部、１３,２８  計時部、１４,３４  無線通信部、１５  ＵＳＢインタフェース、２０  カメラブロック、２１  撮像信号処理部、２２  エンコーダ、２３  カメラ制御部、２４  タイムコード発生部、２５  メディアドライブ、２６  バス、２９ａ,２９ｂ  マーク付与プログラム、３１  表示制御部、３２  表示部、３３  デコーダ、４５  編集機、４６  編集処理部、４７  ＨＤＤ、Ｄ  光ディスク
【図１】
0004788739.tif 000002
【図２】
0004788739.tif 000003
【図３】
0004788739.tif 000004
【図４】
0004788739.tif 000005
【図５】
0004788739.tif 000006
【図６】
0004788739.tif 000007
【図７】
0004788739.tif 000008
【図８】
0004788739.tif 000009
【図９】
0004788739.tif 000010
【図１０】
0004788739.tif 000011
【図１１】
0004788739.tif 000012
【図１２】
0004788739.tif 000013
【図１３】
0004788739.tif 000014
【図１４】
0004788739.tif 000015
【図１５】
0004788739.tif 000016
【図１６】
0004788739.tif 000017
【図１７】
0004788739.tif 000018
【図１８】
0004788739.tif 000019